(57)【特許請求の範囲】
【請求項１】
エレベータかごに設けられ、エレベータかご内の空気を冷却するエアコン装置と、
前記エレベータかごの外壁に設けられ、前記エアコン装置からの排水をエレベータかご移動路の雰囲気に晒して蒸発させる蒸発器と、
前記エアコン装置からの排水を蒸発器に導通させる導通路と、
を有し、
前記蒸発器は、波形形状に折り曲げられ、エレベータかごの移動方向と交叉する面を有する吸水シートを含み、
前記導通路は、前記交叉する面の長手方向に沿って密着して配置され、前記交叉する面のほぼ全域に均一に排水するように所定の間隔で複数の排水孔を有し、
前記吸水シートは、導通路から供給される排水を浸漸して、排水を蒸発させることを特徴とするエレベータ用空気調和機。
【発明の詳細な説明】
【０００１】
【発明の属する技術分野】
本発明は、エレベータ用空気調和機、特にエアコン装置からの排水の処理を改良したエレベータ用空気調和機に関する。
【０００２】
【従来の技術】
建物内での移動手段として設けられるエレベータのエレベータかごは、建物の室内の空間と分離されるため、エレベータかごにもエレベータ用空気調和機が設けられることが多い。この空気調和機の冷却部（蒸発部）にかご内の空気中の水分が露として凝縮するが、この空気調和機は、エレベータかごに設けられているので、排水の処理について制約が生じ、様々な処理方法が考えられている。
【０００３】
図３は、従来のエレベータ用空気調和機の排水処理の模式図である。図３に示すように、エレベータかご３０の室外の頂部には、エアコン装置３２が設置されている。エアコン装置３２の冷却部で上述したように露が生成されると、この排水は、エアコン装置３２に接続された排水管３４を通って、エレベータかご３０の室外の底部に設けられた排水タンク３６に溜められる。図４は、排水タンク３６の拡大図であり、図４に示すように排水タンク３６の下部には、排水タンク３６内の排水の排出を制御する電磁弁３８が設けられている。排水タンク３６内の排水が満水になると、エレベータかご３０は最下階へ移動し、電磁弁３８が開かれ、排水タンク３６の排水はピットに設けられている別の排水設備（図示せず）に排出される。
【０００４】
【発明が解決しようとする課題】
しかしながら、上述したエレベータ用空気調和機では、エアコン装置３２からの排水を処理するために、別途排水タンク３６、ピットに排水設備等を設ける必要がある。
【０００５】
また、排水タンク３６の電磁弁３８にはゴミが詰まりやすく、動作不良により排水タンク３６内の排水を排出できなくなるという問題点があった。
【０００６】
さらに、上述した排水処理の設備は排水を単に外部に排出するのみであり、排水の有効利用を考慮に入れた設備とはなっていない。
【０００７】
そこで本発明は、上記課題を解決するためになされたもので、エアコン装置からの排水を有効に利用しつつ排水の処理を行うエレベータ用空気調和機を提供することを目的とする。
【０００８】
【課題を解決するための手段】
本発明のエレベータ用空気調和機は、エレベータかごに設けられ、エレベータかご内の空気を冷却するエアコン装置と、エレベータかごの外壁に設けられ、エアコン装置からの排水をエレベータかご移動路の雰囲気に晒して蒸発させる蒸発器と、エアコン装置からの排水を蒸発器に導通させる導通路と、を有し、蒸発器は、波形形状に折り曲げられ、エレベータかごの移動方向と交叉する面を有する吸水シートを含み、導通路は、交叉する面の長手方向に沿って密着して配置され、交叉する面のほぼ全域に均一に排水するように所定の間隔で複数の排水孔を有し、吸水シートは、導通路から供給される排水を浸漸して、排水を蒸発させることを特徴とする。
【００１０】
【発明の実施の形態】
図１は、本実施形態のエレベータ用空気調和機の構成を示す図である。従来と同一又は相当する部分には同一の符号を付し、その説明を省略する。
【００１１】
図１に示すように、本実施形態のエレベータ用空気調和機は、エレベータかご内の空気を冷却するエアコン装置１０と、このエアコン装置１０からの排水をエレベータかご移動路の雰囲気に晒して蒸発させる蒸発器１２と、排水を蒸発器１２に供給する排水管１４と、から構成されている。本実施形態においては、エアコン装置１０の排水をエレベータかご３０の外壁に設けられた蒸発器１２で蒸発させて処理する。
【００１２】
エアコン装置１０は、エレベータかご３０の室外の頂部に設けられており、エアコン装置１０の排水は、エアコン装置１０に接続された排水管１４を通って、蒸発器１２に供給されている。
【００１３】
本実施形態においては、蒸発器１２は、後述するような吸水シート１６を含んで構成されている。図１に示すように、本実施形態においては、吸水シート１６を含む蒸発器１２Ａ、１２Ｂ、１２Ｃが、エレベータかご３０の開閉扉の側面以外の３側面の外壁に取り付けボルト１８で上部及び下部を固定されている。これにより、エアコン装置１０からの排水をエレベータかご３０の移動路の雰囲気に晒し蒸発させることができる。更に、エレベータかご３０の外壁に設けられた蒸発器１２は、エレベータかご３０の移動と共に移動するので、エレベータかご３０の移動により蒸発を促進させることができる。
【００１４】
上述した吸水シート１６は、多孔質部材により構成するのが好適である。多孔質材料としては、例えば、紙、繊維状の布、不織布状のスポンジ等を用いることができる。これにより、エアコン装置３０から排出される排水を浸漸して、すなわち、しみこませて、蒸発させることができる。なお、排水を吸収可能であれば、これ以外の部材を用いてもよい。
【００１５】
本実施形態において、吸水シート１６は、硬質の紙を用いて波形形状に折り曲げて形成されている。これにより、吸水シートの面積を大きくすることができ、排水の吸水量を増加させることができる。また、吸水シート１６を波形形状にしたことにより、エレベータかごの移動方向に対して交叉する面が形成されている。これにより、エレベータかご３０の移動により生じる風が、吸水シート１６の交叉面に当たり、吸水シート１６の排水の蒸発が促進される。このことから、波形形状以外に、エレベータかご３０の移動方向に交叉する面を形成したり、凸形状を有する様に吸水シートを形成してもよい。
【００１６】
吸水シート１６の左右端部には、排水管を貫通させる貫通孔１６ａが形成されている。
【００１７】
本実施形態において、エアコン装置１０に接続された排水管１４は、排水管１４Ａ，１４Ｂ，１４Ｃに分岐して、蒸発器１２Ａ，１２Ｂ，１２Ｃに排水を導通させている。排水管１４Ａ，１４Ｂ，１４Ｃは、それぞれ蒸発器１２Ａ、１２Ｂ，１２Ｃの左右端部の貫通孔１６ａで折り返されて、吸水シート１６の波に沿って配置され、吸水シート１６のほぼ全面に敷設されている。
【００１８】
図２は、蒸発器１２Ａと排水管１４Ａの部分拡大図である。図２に示すように、排水管１４Ａの壁部には、吸水シート１６に排水を排出させるために、排水孔２０が形成されている。排水孔２０は、吸水シート１６全体に均一に排水を供給するために、所定の間隔をおいて複数形成される。また、図２に示すように、排水管１４Ａは、吸水シート１６の山側の波に密着させて配置すると好適である。これにより、排水孔２０から排水が徐々に吸水シート１６に排出され、吸水シート１６全体に排水を浸漸させることができる。なお、排水管の位置によって排水孔２０の大きさを変え、排水の排出量を調整することも好適である。なお、排水管１４Ｂ，１４Ｃについても、排水管１４Ａと同様に構成されている。
【００１９】
次に、エレベータ用空気調和機の作用について説明する。
【００２０】
エアコン装置１０内で排水が生じると、この排水は、排水管１４、１４Ａ、１４Ｂ、１４Ｃを通って、各蒸発器１２Ａ，１２Ｂ、１２Ｃの吸水シート１６に供給される。吸水シート１６に浸漸した排水は、エレベータかご３０の移動路に晒され、蒸発する。本実施形態において、蒸発器１２Ａ，１２Ｂ，１２Ｃは、エレベータかご３０の外壁に設けられているため、エレベータかご３０の移動により、蒸発が促進される。また、蒸発器１２Ａ，１２Ｂ，１２Ｃは、エレベータかご３０の周りに設けられているので、排水の蒸発熱によってエレベータかごを冷却することができる。
【００２１】
【発明の効果】
以上説明したように、本発明は、エレベータかごの外壁に蒸発器を設け、エアコン装置からの排水を処理することとしたので、排水タンク等の排水設備を設ける必要がない。
【００２２】
また、排水の蒸発熱により、エレベータかごを冷却することができ、排水処理を有効利用することができる。
【図面の簡単な説明】
【図１】  本実施形態のエレベータ用空気調和機の構成を示す図である。
【図２】  蒸発器及び排水管の部分拡大図である。
【図３】  従来のエレベータ用空気調和機の排水処理の模式図である。
【図４】  従来の排水タンク部分の拡大図である。
【符号の説明】
１０  エアコン装置、１２，１２Ａ，１２Ｂ，１２Ｃ  蒸発器、１４，１４Ａ，１４Ｂ，１４Ｃ  排水管、１６  吸水シート、１６ａ  貫通孔、１８  取り付けボルト、２０  排水孔、３０  エレベータかご。
【図１】
0004266087.tif 000002
【図２】
0004266087.tif 000003
【図３】
0004266087.tif 000004
【図４】
0004266087.tif 000005